(57)【要約】【課題】折戸等を構成する屈伸自在なパネルの操作性を良好にすると共に、その屈伸動作をスムーズにし、騒音も生じさせなくする。【解決手段】２枚以上の可撓性を有する帯板３、３ａ…を上下で互い違いなＳ字状に湾曲すると共に、上下の帯板３、３ａ…の端部４、４ａ、５、５ａ、６、６ａを相互に連結して８字型コイル状のヒンジ２を形成し、該ヒンジ２の各ループ１０、１０ａにパネル１、１ａの連結端部１１、１１ａに固定されるポール１２、１２ａの夫々を遊挿し、該ポール１２、１２ａのパネル固定側端面に設けた凹部１３、１３ａ内に、帯板３、３ａ…を引き込んでループ１０、１０ａがポール１２、１２ａを緊締する様に、ヒンジ２における帯板３、３ａ…の端部連結部２ａ、２ｂを固着することにより、相互に隣接するポール１２、１２ａは、常にその一部が外接した状態で回転でき、かかるポール１２、１２ａがパネル１、１ａの連結端部１１、１１ａに固定されることでパネルを屈伸自在と成す。【選択図】　　　　図６
2004107996.tif 000002
【特許請求の範囲】
【請求項１】
２枚以上の可撓性を有する帯板を上下で互い違いなＳ字状に湾曲すると共に、上下の帯板の端部を相互に連結して８字型コイル状のヒンジを形成し、該ヒンジの各ループにパネルの連結端部に固定されるポールの夫々を遊挿し、該ポールのパネル固定側端面に設けた凹部内に、帯板を引き込んでループがポールを緊締する様に、ヒンジにおける帯板の端部連結部を固着したことを特徴とする屈伸自在なパネルの連結構造。
【請求項２】
ポールは、パネル固定側端面を除く側面を湾出形成したことを特徴とする請求項１記載の屈伸自在なパネルの連結構造。
【発明の詳細な説明】
【０００１】
【発明の属する技術分野】
本発明は、主に折戸、間仕切開閉壁等を構成する屈伸自在なパネルの連結構造に関する。
【０００２】
【従来の技術】
従来、屈伸自在なパネルによって構成された折戸等にあっては、図１２、１３に示す様に、パネルａ、ａ１の連結端部上下端（図中では上端のみ表示）にコ字状金具ｂ、ｂ１をそのコ字の開放側を向かい合わせにして設置し、該コ字状金具ｂ、ｂ１の上下間に歯車ｃ、ｃ１を取付けた軸ｄ、ｄ１を架設し、該軸ｄ、ｄ１の夫々を軸距規制板ｅの端部に挿通すると共に、歯車ｃ、ｃ１同士を噛合することにより、パネルａ、ａ１を連結し、該パネルａ、ａ１同士の回転により折戸等を屈伸させる様に成している。
【０００３】
研究開発段階や出願段階で先行技術調査を行っておらず、記載すべき先行技術文献を知りません。
【０００４】
【発明が解決しようとする課題】
しかしながら、上記の様に構成された折戸等にあっては、その開閉に伴う各パネルａ、ａ１の回転動作は歯車噛合による負荷を生じるためスムーズでなく、力を込めてパネルａ、ａ１を回転操作させねばならず、その際に歯車ｃ、ｃ１が軋んで騒音を発するといった課題を有していた。
【０００５】
【課題を解決するための手段】
本発明は、上記課題に鑑み、２枚以上の可撓性を有する帯板を上下で互い違いなＳ字状に湾曲すると共に、上下の帯板の端部を相互に連結して８字型コイル状のヒンジを形成し、該ヒンジの各ループにパネルの連結端部に固定されるポールの夫々を遊挿し、該ポールのパネル固定側端面に設けた凹部内に、帯板を引き込んでループがポールを緊締する様に、ヒンジにおける帯板の端部連結部を固着することにより、相互に隣接するポールは、常にその一部が外接した状態で回転でき、かかるポールがパネルの連結端部に固定されることでパネルを屈伸自在と成す様にして、上記課題を解決する。
【０００６】
【発明の実施の形態】
以下本発明の一実施例を図面に基づいて説明する
図１に、屈伸自在なパネル１、１ａの連結部位に用いられるヒンジ２の斜視図を示す。
このヒンジ２は、２枚以上の可撓性（図示例では３枚）を有する同一長さの極薄ステンレス製帯板３、３ａ…を上下で互い違いなＳ字状に湾曲すると共に、上下の帯板３、３ａ…の端部４、４ａ、５、５ａ、６、６ａを相互に連結して８字型コイル状に形成している。
ヒンジ２の展開状態は、図２に示す様に、帯板３、３ｂにおける長手方向の一端４、６と、他の帯板３ａにおける長手方向の他端５ａを交互に連結して成り、かかる連結部位をヒンジ２における帯板３、３ａ…の一方の端部連結部２ａと成し、その上下方向には間隔を置いてビス挿通孔７、７ａ…を設けている。
又、展開状態のヒンジ２において、上記端部連結部２ａより同一方向に延びる帯板３、３ｂの上下間隔は、反対方向に延びる帯板３ａの幅より若干広く形成し、夫々の帯板３、３ａ…を上記の様に湾曲させて、帯板３、３ａ…の開放端（他端）４ａ、５、６ａを剛性を有する一対の縦長矩形状のプレート８、８ａにて挟持すると共に、該プレート８、８ａをビスＰにて接合することにより、上下の帯板３、３ａ…の開放端４ａ、５、６ａを連結し、ヒンジ２における帯板３、３ａ…の他方の端部連結部２ｂと成している。
上記端部連結部２ｂにおいて、一方（図示例では外側）のプレート８は、上下に長く形成され、その上下端の夫々には、ビス挿通孔９、９ａを設けている。
【０００７】
ヒンジ２において、上下の帯板３、３ａ…で構成される左右一対のループ１０、１０ａには、パネル１、１ａの連結端部１１、１１ａに固定されるポール１２、１２ａの夫々を遊挿し、該ポール１２、１２ａのパネル固定側端面の長さ方向に渡って設けた凹部１３、１３ａ内に、帯板３、３ａ…を引き込んでループ１０、１０ａがポール１２、１２ａを緊締する様に、ヒンジ２における帯板３、３ａ…の端部連結部２ａ、２ｂを固着している（図５参照）。
ヒンジ２は、ポール１２、１２ａの適所に複数取付けられ、ポール１２、１２ａは、パネル固定側端面を除く側面１４、１４ａ、１５、１５ａ…を湾出形成、即ち、パネル固定側端面の反対側である縦縁１４、１４ａを半円弧状に形成すると共に、該縦縁１４、１４ａに連続する側部１５、１５ａ…を曲率大なる円弧状に形成している。
凹部１３、１３ａ内へのヒンジ２の端部連結部２ａ、２ｂの固定にあっては、一方の端部連結部２ａは、凹部１３の内底と別設のプレート８との間に介装する様にしてビス挿通孔７、７ａ…、９、９ａ…に通したビスＰにてプレート８を凹部１３の内底に接合することで成され、他方の端部連結部２ｂは、ビス挿通孔９、９ａを通したビスＰにてプレート８を凹部１３ａの内底に接合することで成される。
【０００８】
ポール１２、１２ａの凹部１３、１３ａにおける左右側壁の端部は、相互に内向するリップ片１６、１６ａをポール１２、１２ａの長さ方向に渡って設け、左右側壁の内面には、リップ片１６、１６ａと同一長で平行な突片１７、１７ａを設け、リップ片１６、１６ａ及び突片１７、１７ａの先端間隔は、プレート８の幅より若干広く形成している。
ポール１２、１２ａの上下端において、凹部１３、１３ａの内底と突片１７、１７ａの間には、Ｌ字板状の連結金具１８の一方をスライド嵌合すると共に、ビスＰにて凹部１３、１３ａの内底に接合し、連結金具１８の他方をパネル１、１ａ上下端に設けた凹溝１９、１９ａに嵌合すると共に、ビスＰにて接合することにより、ポール１２、１２ａの夫々をパネル１、１ａに一体的に固定し、パネル１、１ａを屈伸自在と成している。
又、パネル１、１ａの上下端面にはその長さ方向に渡り上枠２０、２０ａ及び下枠２１、２１ａを固定している。
【０００９】
上記構成のパネル１、１ａは、用途に応じてパネル１、１ａの連結枚数を変更し、折戸２２、間仕切開閉壁２３、パーティション２４等として利用する。
例えば、図７、８に示す２つ折戸２２であれば、パネル１、１ａの一方が釣元扉１となり、他方が手先扉１ａとなり、釣元扉１の一端部上下が出入口２５の一側の上下に夫々枢着され、手先扉１ａの中間部上下に突設した走行輪を有するランナー（図示せず）又は棒状のピボット２６を出入口２５の上下に設けたレール（図示せず）に装着している。
折戸２２において、図９に示す様に、出入口２５の左右両側に戸当り２７、２７ａを設ければ、折り畳んだ折戸２２の屈曲部を出入口２５の外側又は内側のいずれか一方に突出する様に規制できる。
又、２枚以上のパネル１、１ａを複数組連結してジグザグに折り畳められる様に構成すれば、図１０に示す間仕切開閉壁２３と成すことができる。
その他、高さが同一又は異なるパネル１、１ａを適宜に組み合わせ、パネル１、１ａ下端に脚２８を設ければ、室内を自在な形の境界で以て区割りできるパーティション２４として使用することも可能である。
尚、パネル１、１ａにおいて、そのポール１２、１２ａの上下にランナー、ピボット２６又は脚２８等を取付ける場合、これらのピボット２６等に設けた支軸２９を上下枠２０、２０ａ、２１、２１ａの端部からポール１２、１２ａに内装した軸孔３０、３０ａへ嵌挿することにより成される（図１、４参照）。
【００１０】
次に屈伸自在なパネルの作用について説明する。
ヒンジ２のループ１０、１０ａ内に配したポール１２、１２ａは、そのパネル固定側端面の凹部１３、１３ａにヒンジ２の端部連結部２ａ、２ｂが固着されることにより、ループ１０、１０ａで緊締支持され、ポール１２、１２ａは、常にその一部が外接した状態で相互に回転する。
ポール１２、１２ａの外接部位は、ヒンジ２における上下の帯板３、３ａ…の交差部位Ｘに対応し、該交差部位Ｘはポール１２、１２ａの回転に応じ帯板３、３ａ…が変形することで変位する（図５、６参照）。
従って、ポール１２、１２ａは、交差部位Ｘを通る直線について常に対称な位置にある様に、相互に回転する。
この様に、ヒンジ２に連結されたポール１２、１２ａを連結端部１１、１１ａに一体的に固定したパネル１、１ａは屈伸自在となる。
【００１１】
【発明の効果】
要するに本発明は、２枚以上の可撓性を有する帯板３、３ａ…を上下で互い違いなＳ字状に湾曲すると共に、上下の帯板３、３ａ…の端部４、４ａ、５、５ａ、６、６ａを相互に連結して８字型コイル状に形成したヒンジ２を用い、該ヒンジ２にて構成される各ループ１０、１０ａにパネル１、１ａの連結端部１１、１１ａに固定されるポール１２、１２ａの夫々を遊挿し、該ポール１２、１２ａのパネル固定側端面に設けた凹部１３、１３ａ内に、帯板３、３ａ…を引き込んでループ１０、１０ａがポール１２、１２ａを緊締する様に、ヒンジ２における帯板３、３ａ…の端部連結部２ａ、２ｂを固着したので、簡単にポール１２、１２ａをループ１０、１０ａで緊締支持する様に連結でき、ループ１０、１０ａは交差部位Ｘを変位させながらポール１２、１２ａを常に緊締支持した状態で変形してポール１２、１２ａを相互に回転させることができ、該ポール１２、１２ａをパネル１、１ａの連結端部１１、１１ａに固定するのみで、ポール１２、１２ａを介してパネル１、１ａを屈伸自在に連結できる。
よって、本発明によれば、従来の様に、歯車噛合によるパネルの連結ではないため、軽い力でパネル１、１ａを回転させられ、その動作もスムーズで騒音を生じない。
しかも、ヒンジ２で支持されるポール１２、１２ａは、ループ１０、１０ａで緊締され、常に隙間なく外接しているため、ポール１２、１２ａ間に指を詰める心配がなく安全である。
【００１２】
ポール１２、１２ａは、パネル固定側端面を除く側面１４、１４ａ、１５、１５ａ…を湾出形成したので、ヒンジ２を構成する帯板３、３ａ…をポール１２、１２ａの側面１４、１４ａ、１５、１５ａ…に隙間無く密着させられ、ポール１２、１２ａと帯板３、３ａ…間に着衣やその他の物が不用意に挟まったり、引っ掛かったりすることがない等その実用的効果甚だ大である。
【図面の簡単な説明】
【図１】ヒンジとポールの一部を示す斜視図である。
【図２】ヒンジの展開図である。
【図３】パネルの連結状態を示す要部拡大正面図である。
【図４】図３の断面図である。
【図５】ポールの連結状態を示す断面図である。
【図６】ポールの回転状態を示す断面図である。
【図７】折戸の正面図である。
【図８】折戸の屈伸状態を示す平面図である。
【図９】戸当りを設けた折戸の屈伸状態を示す平面図である。
【図１０】間仕切開閉壁の屈伸状態を示す平面図である。
【図１１】パーティションの一例を示す斜視図である。
【図１２】従来のパネル連結構造の要部を示す横断面図である。
【図１３】従来のパネル連結構造の要部を示す縦断面図である。
【符号の説明】
１、１ａ　　　パネル
２　　　　　ヒンジ
２ａ、２ｂ　　　端部連結部
３、３ａ…　　帯板
４、４ａ　　　端部
５、５ａ　　　端部
６、６ａ　　　端部
１０、１０ａ　　ループ
１１、１１ａ　　連結端部
１２、１２ａ　　ポール
１３、１３ａ　　凹部
１４、１４ａ　　側面
１５、１５ａ…　側面
【図１】
2004107996.tif 000003
【図２】
2004107996.tif 000004
【図３】
2004107996.tif 000005
【図４】
2004107996.tif 000006
【図５】
2004107996.tif 000007
【図６】
2004107996.tif 000008
【図７】
2004107996.tif 000009
【図８】
2004107996.tif 000010
【図９】
2004107996.tif 000011
【図１０】
2004107996.tif 000012
【図１１】
2004107996.tif 000013
【図１２】
2004107996.tif 000014
【図１３】
2004107996.tif 000015